(57)【要約】      （修正有）【課題】安価に製造し、かつ形状に対する要望にも容易に対応でき、手指による入力操作の不自由な人にもスマート端末を使用できるようにするスマート端末用の入力信号接触器具を提供する。【解決手段】入力信号接触器具は、紙系薄板からなり手指で保持するための持手部２ａとタッチパネルに接触させるための接触部２ｂとが一体に形成された絶縁性基板部材２と、基板部材の一方の面に銀被覆された銅粒子が所定の平面パターンを形成するように樹脂によって定着された導電部３とを備え、平面パターンは、持手部に配置された手指用の大パッド３ａと、導電部にマルチタップによって識別可能なように配置された複数の小パッド３ｂとを細線によって連結させた形状を有する。【選択図】図１
0003221994.tif 000002
【実用新案登録請求の範囲】
【請求項１】
マルチタッチに対応したスマート端末用の信号入力接触器具であって、
紙系薄板からなり手指で保持するための持手部とタッチパネルに接触させるための接触部とが一体に形成された絶縁性基板部材と、
前記基板部材の一方の面には、所定の平面パターンを形成するように樹脂によって定着された導電部とを備えており、
前記平面パターンは、前記持手部に配置された手指用の大パッドと、前記導電部に前記マルチタップによって識別可能なように配置された複数の小パッドとを細線によって連結させた形状を有することを特徴とする、スマート端末用の信号入力接触器具。
【請求項２】
請求項１において、
前記導電部は、光硬化した樹脂を含んでいる、スマート端末用の信号入力接触器具。
【請求項３】
請求項１または２において、
前記接触部は、前記導電部を残すようにして、その一部がくり抜かれた形状になっている、スマート端末用の信号入力接触器具。
【請求項４】
請求項１または２において、
前記基板部材の導電部の反対面には、スマート端末用のアプリで使用されるコマンドを意味する絵、写真、文字などの視覚表示が設けられている、スマート端末用の信号入力接触器具。
【考案の詳細な説明】
【技術分野】
【０００１】
本考案は、スマート端末の画面に接触させ、スマート端末のアプリに対応したコマンドなどの入力を行うための信号入力接触器具に関する。
【背景技術】
【０００２】
前記のような接触器具の代表的なものとしてペン型の接触器具が公知である。例えば次の特許文献には、静電容量型のタッチパネルに対応したタッチペンが記載されている。
【先行技術文献】
【特許文献】
【０００３】
【特許文献１】特開2016-167239号公報
【考案の概要】
【考案が解決しようとする課題】
【０００４】
ところが前記特許文献に記載されているようなペン型の接触器具は高価なので、ゲーム等のアプリケーションの付属品として気軽に添付、提供できるような品物ではなかった。またゲーム等のアプリケーションの分野によっては、接触器具を特定の形状にしたいというような要望もあるが、そのような要望に対応することも困難であった。
本考案はこのような問題に対して、安価に製造でき、かつ形状に対する要望にも容易に対応できる接触器具を提供することを目的としている。
【課題を解決するための手段】
【０００５】
本考案による接触器具は、マルチタッチに対応したスマート端末用の接触器具であって、紙系薄板からなり手指で保持するための持手部とタッチパネルに接触させるための接触部とが一体に形成された基板部材と、前記基板部材の一方の面に所定の平面パターンを形成するように樹脂によって定着された導電部とを備えており、前記平面パターンは、前記持手部に配置された手指用の大パッドと、前記導電部に前記マルチタップによって識別可能なように配置された複数の小パッドとを細線によって連結させた形状を有することを特徴とする。
【考案の効果】
【０００６】
本考案による接触器具は、安価に製造でき、かつ形状に対する要望にも容易に対応できる。
特に、タッチパネルに文字やコマンドに指を使って入力する操作に不十分な人でも、信号入力接触具を持って、タッチパネルを操作するだけで入力できる。
導電部が光硬化した樹脂を含んでいるものは、その導電部を高速なフレキソ印刷を用いて形成することが可能であり、かつ加熱する必要がないので基板部材が変形し難いので不良率も下がる。その結果、製造コストが大幅に抑えられる。
また、導電部を残すようにして、接触部の一部をくりぬいたものは、そのくり抜き穴からスマート端末の画面が見えるので、接触器具を画面に接触させたときのアプリの演出が効果的に行える。
更に、導電部の反対面に、アプリに対応したコマンドを絵、写真、文字などの視覚表示を設けている場合は、その視覚表示に基づいて複数の接触器具から正しいもの選択して画面に接触させる等のアプリの演出が可能になる。このような構成のものは、高齢者、障害者、要介護者、幼児など、スマート端末に対して、指で入力操作が不自由な人にはすこぶる利便である。
【図面の簡単な説明】
【０００７】
【図１】本考案の実施例の一例の表、裏面を示す斜視図、（ｃ）、（ｄ）は他例の表、裏面を示す斜視図である。
【図１Ａ】タッチパネルの基本構成を示す平面図である。
【図２】接触器具の使用方法の一例を示す斜視図である。
【図３】フレキソ印刷装置の一例の模式図である。
【図４】導電部が定着されたあとの連続媒体の一例を示す平面図である。
【図５】（ａ）、（ｂ）は、接触器具の変形例の表、裏面を示す斜視図である。
【考案を実施するための形態】
【０００８】
本考案は、マルチタッチに対応したスマート端末用の信号入力接触器具であって、ゲーム、カルタ、クイズ、商品、サービスの発注等のアプリ画面に対して、アプリで使用される選択や指示等のコマンドを入力するために使用されるものである。スマート端末は特に制限されず、例えばｉＰｈｏｎｅ（登録商標）、ｉＰａｄ（登録商標）、Ａｎｄｏｒｏｉｄ（登録商標）対応スマートフォン、タブレット等であればよい。
【０００９】
図１（ａ）、（ｂ）は本考案の実施例の一例の表、裏面を示す斜視図、（ｃ）、（ｄ）は他例の表、裏面を示す斜視図である。なおここでは接触器具はルーペ型のものとしている。
【００１０】
図１（ａ）〜（ｄ）に示すように、接触器具１は一枚の紙系薄板がルーペの形状に裁断されて絶縁性基板部材２とされており、その表面にはルーペの図案が印刷され、ルーペの柄に対応する部分が手指で保持するための持手部２ａ、レンズに対応する部分がタッチパネルに接触させるための接触部２ｂになっている。
そして基板部材２の裏面には、銀被覆された銅粒子が所定の平面パターンを形成するように樹脂によって定着された導電部３が設けられている。導電部３の平面パターンは、持手部２ａに配置された手指用の大パッド３ａと、導電部３にマルチタッチによって識別可能なように配置された複数の小パッド３ｂとを細線３ｃによって連結させた形状を有する。
なお接触器具１は、持手部２ａと接触部２ｂとを備えていれば、ルーペ型の形状のみに限定されることはなく、虫取り網、剣、鍵等、自由にデザインできる。
【００１１】
スマート端末のタッチパネルは、静電容量方式や抵抗膜方式など種々のタッチ検出方式がある。静電容量方式は、タッチパネルに組み込まれたマトリクス状の導電膜と手指との間での静電容量の変化を捉えて位置検出するものである。一方抵抗膜方式は、タッチパネルに組み込まれた二層の導電膜が手指で押圧されたときの抵抗値の変化を捉えて位置検出するものである。マルチタッチは、複数箇所への同時タッチを検出するものであるが、マトリクススキャンがなされる静電容量方式で実現するのが容易である。マルチタッチに対応したスマート端末としては静電容量方式を採用したものが市販されており、それらは３〜１０箇所程度のマルチタッチが検出可能である。
【００１２】
静電容量方式は、手指が導電性を持っていること、より詳細に云えば、スマート端末と人体との間に流れる微弱電流を検知する仕組みである。そのため接触器具１は、小パットのそれぞれによるタッチパネルへの接触が、スマート端末から見たときに手指の接触と同等になるように、小パッド３ｂのそれぞれを手指用大パットに細線３ｃによって接続した構成になっている。すなわち接触器具１の持手部２ａを手指（素手）で摘んだ状態では、手指が大パッド３ａに接触して、タッチパネルと人体との間の微弱電流が接触器具１を通じて流れることになる。
【００１３】
図１Ａは静電容量式タッチパネルの基本構成を示す平面図である。このタッチパネル１１は、後述するようなスマート端末の表示画面に組み込んで形成されており、タッチパネル１１は第一導電膜Ｘ０〜Ｘ１１と、第二導電膜Ｙ０〜Ｙ１１の二層の導電膜によってセンサーマトリックスが形成されている。第一、第二導電膜は絶縁層によって互いに絶縁されている。また第一、第二導電膜は、全体として絶縁層に保護されている。
第一導電膜Ｘ０〜Ｘ１１はいずれも菱形の小片を縦ラインで連結した形状、第二導電膜Ｙ０〜Ｙ１１はいずれも菱形の小片を横ラインで連結した形状になっており、例えば図中の破線枠に示すような隣接し合う４つの小片が１つのセンサーＳを構成する。
このようなタッチパネル１１では、第一導電膜Ｘ０〜Ｘ１１の内の一つ、第二導電膜Ｙ０〜Ｙ１１の内の一つを順次選択していき、選択した第一導電膜Ｘｉと第二導電膜Ｙｊとの間に適切な交流電圧を印加することにより、対応したセンサーＳの近傍に指あるいは接触器具１等の導体が存在しているか否かを判断できる。すなわちセンサーＳの近傍に導体が存在するときと存在しないときとで、交流電圧によって流れる微弱電流が変化する（マトリックススキャン）。またタッチパネル１１は複数の導体を同時に検知することも可能である。
【００１４】
そしてスマート端末は、マルチタッチとして、複数の小パッド３ｂのそれぞれの位置を検知することで、小パッド３ｂの相対的な位置関係も算出できる。すなわち小パッド３ｂの配置からタッチパネルに対する接触位置と接触角度（接触器具の水平回転位置）とを検知、算出できる。また小パッド３ｂの配置が異なる接触器具１が複数種類ある場合には、それぞれの接触器具１を特定できる。例えばスマート端末は、図１（ａ）、（ｂ）に示した接触器具１と、図１（ｃ）、（ｄ）に示した接触器具１とを異なる接触器具として認識する。
【００１５】
図２は、接触器具の使用方法の一例を示す斜視図である。スマート端末１０は一般的なスマートフォンである。スマート端末１０のタッチパネル１１には、接触器具１に対応したアプリケーションの画面、具体的にはゲームの宝箱発見シーンが表示されている。画面の破線枠は接触器具１を接触させるべき位置のガイドである。ここで接触器具１は宝箱を開放するためのキーアイテムとして活用される。例えば図１（ａ）、（ｂ）に示した接触器具は、真アイテム、図１（ｃ）、（ｄ）に示した接触器具１は偽アイテムというような設定がなされているとすると、前者を画面に接触させたときには宝箱が無事に開放されるが、後者を接触させた場合は宝箱が爆発するというような分岐シナリオが実現できる。なお接触器具１は、ゲーム関係のアプリケーションだけでなく、教育関係のアプリケーション等にも容易に活用できる。図２の例では、基板部材の導電部の反対面に、Ａ，Ｂの文字を記しているが、ＹＥＳ，ＮＯやＧＯ，ＳＴＯＰの簡単なコマンドの他、写真や絵、文字、文章などを記してあってもよい。
【００１６】
次いで接触器具１の製造方法について説明する。
接触器具１は、紙系薄板に、銅粒子を含んだ導電インキで導電部３を形成することによって安価に製造できることが特長である。すなわち導電部３は、銅粒子と光硬化した樹脂とを含んでいる。
ここに導電インキは、銀被覆された銅粒子からなる導電フィラーと、重合剤と、樹脂剤と、バインダー剤とが所定比率で混合された流体である。銀被覆された銅粒子は、数ミクロン〜数十ミクロンの略球体状の銅粒子にメッキ等によって銀被覆がなされたものである。略球体状の粒子を採用すれば光の透過性がよくなるので、紫外線による定着がより確実になる。重合剤、樹脂剤、バインダー剤は特段の制限はないが、紙系薄板に対する印刷の容易性、光硬化させたあとの定着性等を考慮して選択するとよい。
【００１７】
このように本考案では、導電部３の印刷、定着がフレキソ印刷でなされるので接触器具１の量産が容易であり、安価に提供できる。また導電部３を定着される際に加熱する必要がないので基板部材が変形し難く、不良率も低くなる。
【００１８】
図３は、導電部を印刷し更に定着させるフレキソ印刷装置の一例の模式図である。
フレキソ印刷装置２０は、巻出しロール２１から繰り出された連続媒体Ｍがセンタードラム２２の外周面を一巡して巻取りロール２３に巻き取られるようにした搬送路２４を備えており、センタードラム２２の周囲に複数の印刷ユニット２５が配置されている（１つの印刷ユニットのみ実線で示す）。複数の印刷ユニット２５を用いた多重印刷によって導電部３の厚みを自在にコントロールできる。センタードラム２２から巻取りロール２３に向かう搬送路２４の途中に導電インキＩを定着させるための紫外線照射装置２６が設けられている。
【００１９】
印刷ユニット２５はいずれも、版ロール２６と、アニロックスロール２７と、ドクターロール２８と、インキ供給器（図示なし）とで構成されている。版ロール２６の外周面には、予め製版された樹脂製のフレキソ版が固着されている。フレキソ版は、凸版であって、その凸部に塗布された導電インキＩが連続媒体Ｍに転写、印刷される。このような版ロール２６が回転することで連続的な印刷が可能である。アニロックスロール２７はアルミ等の金属からなり、その外周面には微小な凹所が全面的に形成されている。それらの凹所に導電インキＩが充填された状態のアニロックスロール２７が版ロール２６に接触しながら回転することでフレキソ版に導電インキＩが塗布される。ドクターロール２８は樹脂又は金属からなり、その外周面は平滑である。ドクターロール２８は、アニロックスロール２７とドクターロール２８との間に供給された導電インキＩを、アニロックスロール２７の凹所のみに充填する役割である。ドクターロール２８を用いることで、アニロックスロール２７の凹所のそれぞれに導電インキＩを均等に充填できる。なお図中の矢印はロールやドラムの回転方向、連続媒体Ｍの移動方向を示している。
【００２０】
図４は、前記のフレキソ印刷装置によって導電部３が印刷、定着されたあとの連続媒体Ｍの一例を示す平面図である。このようなフレキソ印刷装置２０を用いれば、連続媒体Ｍに多数の導電部３を高速に形成でき、１０−５Ωｃｍオーダーの電気抵抗率が可能となる。導電部３が形成されたあとの連続媒体Ｍは、打抜き等によって裁断されて複数個の接触器具１とされる。なお接触器具１の表面への図案、イラスト等の印刷は導電部３の印刷の前、あるいは前記裁断の前の段階で行えばよい。そのようにして導電部３とは反対面に、アプリに対応したコマンドを絵、写真、文字等の視覚表示を設けている場合は、その視覚表示に基づいて複数の接触器具１から正しいもの選択して画面に接触させる等のアプリの演出が可能になる。
【００２１】
図５（ａ）、（ｂ）は、接触器具の変形例の表、裏面を示す斜視図である。この変形例は、図１（ａ）、（ｂ）に示した接触器具１の接触部２ｂの中央部をくり抜いた形状とされており、小パッド３ｂは中央部がくり抜かれたあとの枠部分に配置されている。このように接触部２ｂはその一部がくり抜かれた形状になっていてもよく、そうした接触器具１をスマート端末１０の画面に接触させた際に、くり抜き穴を通じて画面を見ることができるので、接触器具を画面に接触させたときのアプリの演出が効果的に行える。
【符号の説明】
【００２２】
１        接触器具
２        基板部材
２ａ      持手部
２ｂ      接触部
３        導電部
３ａ      大パッド
３ｂ      小パッド
３ｃ      細線
１０      スマート端末
【図１】
0003221994.tif 000003
【図１Ａ】
0003221994.tif 000004
【図２】
0003221994.tif 000005
【図３】
0003221994.tif 000006
【図４】
0003221994.tif 000007
【図５】
0003221994.tif 000008
【手続補正書】
【提出日】平成31年4月23日(2019.4.23)
【手続補正１】
【補正対象書類名】実用新案登録請求の範囲
【補正対象項目名】全文
【補正方法】変更
【補正の内容】
【実用新案登録請求の範囲】
【請求項１】
マルチタッチに対応したスマート端末用の信号入力接触器具であって、
紙系薄板からなり手指で保持するための持手部とタッチパネルに接触させるための接触部とが一体に形成された絶縁性基板部材と、
前記基板部材の一方の面には、所定の平面パターンを形成するように樹脂によって定着された導電部とを備えており、
前記平面パターンは、前記持手部に配置された手指用の大パッドと、前記導電部に前記マルチタッチによって識別可能なように配置された複数の小パッドとを細線によって連結させた形状を有することを特徴とする、スマート端末用の信号入力接触器具。
【請求項２】
請求項１において、
前記導電部は、光硬化した樹脂を含んでいる、スマート端末用の信号入力接触器具。
【請求項３】
請求項１または２において、
前記接触部は、前記導電部を残すようにして、その一部がくり抜かれた形状になっている、スマート端末用の信号入力接触器具。
【請求項４】
請求項１または２において、
前記基板部材の導電部の反対面には、スマート端末用のアプリで使用されるコマンドを意味する絵、写真、文字などの視覚表示が設けられている、スマート端末用の信号入力接触器具。
【手続補正２】
【補正対象書類名】明細書
【補正対象項目名】０００５
【補正方法】変更
【補正の内容】
【０００５】
本考案による接触器具は、マルチタッチに対応したスマート端末用の接触器具であって、紙系薄板からなり手指で保持するための持手部とタッチパネルに接触させるための接触部とが一体に形成された基板部材と、前記基板部材の一方の面に所定の平面パターンを形成するように樹脂によって定着された導電部とを備えており、前記平面パターンは、前記持手部に配置された手指用の大パッドと、前記導電部に前記マルチタッチによって識別可能なように配置された複数の小パッドとを細線によって連結させた形状を有することを特徴とする。